(57)【要約】      （修正有）【課題】認知症の方には判らない衣服やベルトの位置に取り付けることにより、認知症の方が取り外してしまうことがなく、迷子札としての役割を達成することができるバッジを提供する。【解決手段】金属からなる基台２に金属用彫刻機によるＱＲコードが彫刻されたバッジ１であって、ＱＲコードには連絡先の電話番号が少なくとも含まれているとともに、基台には衣服などに貫通される軸４と軸に係止されて衣服などに基台を係止する係止手段５とを備える。【選択図】図１
0003208070.tif 000002
【実用新案登録請求の範囲】
【請求項１】
金属からなる基台に金属用彫刻機によるＱＲコードが彫刻されたバッジであって、前記ＱＲコードには連絡先の電話番号が少なくとも含まれているとともに、前記基台には衣服などに貫通される軸と前記軸に係止されて衣服などに前記基台を係止する係止手段とを備えていることを特徴とするバッジ。
【請求項２】
前記基台はチタン鋼である請求項１に記載のバッジ。
【請求項３】
前記基台にはカバーが設けられている請求項１又は請求項２のいずれか１項に記載のバッジ。
【請求項４】
前記カバーには社章が設けられている請求項３に記載のバッジ。
【考案の詳細な説明】
【技術分野】
【０００１】  本考案は、衣服やベルトに取り付けるバッジに関するものである。
【背景技術】
【０００２】  従来より、ペンダントヘッドの表面にＱＲコード（登録商標）を装着したものはあった。下記の特許文献１に示すものは、ＱＲコード携帯用ペンダントおよびＱＲコード迷子札に関するものであり、電話番号、住所、氏名などの個人情報をＱＲコード化し、そのＱＲコードを印刷したものをペンダントヘッドに装着し、携帯電話等のＱＲコードの読み取り手段に読み取らせるものである。【０００３】  しかしながら、このものは、ペンダントを首にかけるようにしたものであり、認知症の方は、ペンダントを首に掛けられていることを嫌がり、ペンダントを取ってしまうことがあり、その場合、迷子札の役割を達成しなくなるという問題点があった。
【先行技術文献】
【特許文献】
【０００４】
【特許文献１】実用新案第３１２２８６９号公報
【考案の概要】
【考案が解決しようとする課題】
【０００５】  本考案は、上記従来の課題を解決するためになされたものであり、認知症の方には判らない衣服やベルトの位置にバッジを取り付けることによって、バッジを取ってしまうことがなく、バッジの役割を達成することができるバッジを提供することにある。
【課題を解決するための手段】
【０００６】  上記課題を解決するため、本考案のバッジは、金属からなる基台に金属用彫刻機によるＱＲコードを彫刻したバッジであって、ＱＲコードには連絡先の電話番号が少なくとも含まれているとともに、前記基台には衣服などに貫通される軸と前記軸に係止される係止手段とを備えていることを特徴とする。
又、本考案にあっては、前記基台はチタン鋼であることが望ましい。
又、本考案にあっては、前記基台にはカバーが設けられていることが望ましい。
又、本考案にあっては、前記カバーには社章が設けられていることが望ましい。
【考案の効果】
【０００７】  本考案のバッジは、金属からなる基台に金属用彫刻機によるＱＲコードを彫刻したバッジであって、ＱＲコードには連絡先の電話番号が少なくとも含まれているとともに、前記基台には衣服などに貫通される軸と前記軸に係止される係止手段とを備えていることを特徴とするものであるから、連絡先に電話することで、バッジの所有者が電話したい相手に連絡することができるという効果がある。更に、認知症の方が使用しても、チェーンのように、取ってしまいことが無く、バッジの役割を達成しなくならないという効果がある。更に、焼付け印刷のように彫らずにＱＲコードを形成した焼付け印刷のものは、ＱＲコードに傷が付くとＱＲコードを読み取ることができなくなる可能性があるものに比し、ＱＲコードを読み取る必要があるときに読み取ることができるという効果がある。
又、請求項２のように、基台がチタン鋼であるものは、金属用彫刻機として、ファイバーレーザー加工機を用いることにより、ファイバーレーザー加工機とチタン鋼との相性が良く、ファイバーレーザー加工機で彫刻したチタン鋼の箇所が黒くなるものであり、針で彫った後、インクを塗ったものに比し、薬品や熱に対しても強く、汗などによりインクが剥がれないという効果があり、ＱＲコードを読み取る必要があるときに読み取ることができるという効果がある。又、基台にチタン鋼を用いているので、金属アレルギーの心配が無いという効果がある。
又、請求項３のように、前記基台にはカバーが設けられているものは、ＱＲコードに傷が付かないとともに、不要なときはＱＲコードを隠すことが出来、不用意にＱＲコードの内容を読み取られることがないという効果がある。
更に、必要に応じて「救急救命のシンボルマーク」などのような救急救命に関するバッジであることを知らしめることが可能であるという効果がある。
又、請求項４のように、前記カバーには社章が設けられているものは、社章としてバッジを使用することも可能であるという効果がある。
【図面の簡単な説明】
【０００８】
【図１】図１は、本考案のバッジの断面図。
【図２】図２は、本考案のバッジの外観斜視図。
【考案を実施するための形態】
【０００９】  以下、本考案の実施の形態を図１乃至図２に基づいて詳述すると、バッジ１は、金属からなる基台２に金属用彫刻機によるＱＲコード３を片面に彫刻したものであって、ＱＲコード３には連絡先の電話番号が少なくとも含まれているとともに、基台２の他面には衣服などに貫通される軸４と、軸４に係止される係止手段５とが設けられている。バッジ１は、チタン鋼からなる基台２にファイバーレーザー加工機でＱＲコード３と、購入者の希望に基づいて使用者名がファイバーレーザー加工機で彫刻される。基台２をチタン鋼で形成し、ファイバーレーザー加工機を用いて彫刻したものは、ファイバーレーザー加工機とチタン鋼との相性が良く、ファイバーレーザー加工機で彫刻したチタン鋼の箇所が黒くなるものであり、この黒くなった箇所をＱＲコード３として使用すれば良い。チタン鋼は、海水、水、温泉、火事などに対しても強い材料であるとともに、肌に優しい材料であり、バッジの材料として望ましい。
尚、チタン鋼以外にアルミニウム等も選択可能であるが、この場合は、インクを塗る必要があり、剥がれるおそれがある。
【００１０】  基台２は、直径が１５ミリメートルと１７ミリメートルの２種類が設けられており、いずれかを選択することが出来るようになっており、厚みは２ミリメートルに設定されている。基台２は、ブラスト研磨とブラスト研磨に比し光沢のあるバレル研磨とを選択することができる。
【００１１】  ＱＲコード３は、氏名、１件目の電話番号に応答が無い場合を考慮して緊急連絡先（２名以上）、血液型、既往症、身体的特徴（怪我・ほくろなど）、その他のＱＲコード３として残しておきたい住所・個人情報などの情報が入力されており、携帯電話のカメラ等で読み取ることができるようになっている。ＱＲコード３は、購入者の希望に合わせて加工することができるようになっている。顔写真、携帯電話番号、身体的特徴（怪我・ほくろなど）は、本人認証機能として使用されるものである。顔写真は、バッジ１に彫刻されていても構わないものであるが、他のデーターの量に応じて大きさを設定する必要があり、希望のデーターを加工先に送付することで彫刻ができるものである。ＱＲコード３を携帯電話で読むと、携帯電話に表示された緊急連絡先の電話番号及び携帯電話番号は、携帯電話に表示されたものに触れることで発信され、３０秒で相手先に着信できるものであり、タグ１の使用者が所有されている携帯電話が鳴れば本人の確認ができるものであり、身体的特徴（怪我・ほくろなど）により、身体的特徴が一致しておれば、本人の確認ができるものであり、携帯電話番号と身体的特徴（怪我・ほくろなど）などがあり、本人認証機能に含まれている。本人認証機能は、チェーンを所有している者が本当の所有者であることの確認を行うことができ、例え、本人と異なった者が何らかの原因により所有していたとしても、本人と異なったＱＲコードの情報が伝わることが無く、再度の検査を必要とするが、正しい情報に基づいて治療がなされ、医療事故を起こすことが無いという効果がある。
【００１２】  軸４は、外面に雄ねじが形成された第一のねじであり、係止手段５は、内面に雌ねじが形成された第二のねじが強固に螺着できる点で望ましいが、軸４は、先端が尖ったピンであり、係止手段５は、軸４の外周に係止される係止具であっても構わないものである。このものは、ワンタッチで着脱できる点で優れているものである。軸４の先端が尖ったピンタイプのものは、ベルトなどの穴の開いていない箇所にも取付が可能である。係止手段５には衣服やベルトに喰い込む爪部材６が設けられている。
【００１３】  基台２には合成樹脂又は金属材でできたカバー７が設けられている。カバー７は、基台２の表面を覆うカバー部７ａと、基台２の裏面に係止される係止部７ｂから構成されており、カバー部７ａには必要に応じて「救急救命のシンボルマーク」などのような救急救命に関する表示がされていることが望ましい。
【００１４】  カバー６の表面には社章が設けられていても構わないものであり、社章の多機能化を図るとともに、ＱＲコード３によりあらゆる事故、人災、災害合われた方の本人確認できる。
【００１５】  ファイバーレーザー加工機は、出願人が販売しているワードファイバーレーザー（一本彫刻機、２５本金属自動機彫刻機）が印鑑のような微細な彫刻が可能でるとともに、彫刻の劣化及び消滅しないものであり、望ましいものである。ファイバーレーザー加工機によるＱＲコードを彫刻する彫刻工程には彫刻するベースを白くする工程が前工程として含まれている。この工程は、パワーとスピードとを最適値に設定し、縦と横に２回ずつ走査させることで完了し、パワーとスピードとを最適値に設定し、連続してＱＲコード３の彫刻を行えば良いものである。レーザー加工機としてファイバーレーザー加工機以外に一般のレーザー加工機、ＣＯ２レーザー加工機、ヤグレーザー加工機があるが、ＱＲコードの彫刻にはファイバーレーザー加工機が適している。
【００１６】  基台２の実施例として金属以外のものとして、ファインセラミックスがあり、ファイバーレーザー加工機でＱＲコード３と、購入者が希望される使用者名が片面に彫刻される。
【００１７】  バッジ１の使用者は、人や愛玩動物、特に、痴呆症の方、老人、子供、運転手、パイロットのように、あらゆる事故、人災、災害合われた方の本人確認にも使用可能なものである。
【００１８】  「厚生労働省によると、行方不明になられた認知症の高齢者は、平成２５年の１年間で５２００人。認知症で行方不明の届け出が平成２４年に９６００人。また、認知症は高齢者の４人に１人であり、今後激増する傾向にあり、認知症４００万人、認知症予備軍４００万人。」（平成２６年１１月５日産経デジタルの記事引用）と言われており、本考案のバッジを身に着けることで行方不明者の早期発見と減少が望まれる。
【符号の説明】
【００１９】    １    バッジ
２    基台
３    ＱＲコード
４    軸
５    係止手段
【図１】
0003208070.tif 000003
【図２】
0003208070.tif 000004